(57)【要約】      （修正有）【課題】経年変化により、作業用ケースの基板上部の皮革或いは合成繊維等からなるベルト挿通輪にベルトによる裂け目ができ、その裂け目が急速に拡大するることを防止し、長寿命の作業用ケースを提供する。【解決手段】基板２の上部４を例えば裏側に折り返してその上端を基板２背面に固定する等して皮革或いは合成繊維等からなるベルト挿通輪６が形成された作業用ケースにおいて、基板２の、ベルト挿通輪６に通したベルトの幅方向における下側の縁の当たる部分に、金属からなる補強片４０を固着してなる。補強片４０は、基板２の折り返された上部４の両側縁部に１個ずつ設けると良い。【選択図】図１
0003148395.tif 000002
【実用新案登録請求の範囲】
【請求項１】
基板の上部に、皮革或いは合成繊維等からなり、ベルトを通すベルト挿通輪が形成され、
上記基板に一又は複数の工具装着部を有する作業用ケースにおいて、
上記基板の、上記ベルト挿通輪に通されるベルトの幅方向における下側の縁の当たる部分及び／又はその裏側に、補強片が固着されている
ことを特徴とする作業用ケース。
【請求項２】
前記補強片が前記基板の上部のベルト挿通輪の両側縁部に設けられている
ことを特徴とする請求項１に記載の作業用ケース。
【請求項３】
前記ベルト挿通輪は、基板の上部を裏側に折り返し、折り返した部分の先端を上記基板背面へ固定することにより形成され、
上記上端の基板背面への固定は、基板の上端部及び被折り返し部を貫通してかしめられた複数のリベットにより為され、
前記補強片がリベット挿通孔を有し、
上記基板の上端の基板背面への固定をするリベットの少なくとも一部のリベットが上記リベット挿通孔に通され、
上記一部のリベットが基板の上端の基板背面への固定と上記補強片の基板との固定を為すようにされた
ことを特徴とする請求項１又は２に記載の作業用ケース。
【請求項４】
前記補強片が金属からなる
ことを特徴とする請求項１、２又は３記載の作業用ケース。
【考案の詳細な説明】
【技術分野】
【０００１】
本考案は、基板の上部にベルトを通す皮革或いは合成繊維等からなるベルト挿通輪が形成され、上記基板に一又は複数の工具装着部を有し、作業員等が締める上記ベルトに吊り下げて使用する作業用ケースに関する。
【背景技術】
【０００２】
ビルディング等の建物或いは橋梁の建設、道路工事等には、種々の作業が必要であり、その種々の作業内容に対応する種々の工具を使用する。例えば、軟鋼線の切断をする作業にはペンチとかミゼットカッターを、鉄筋の結束作業にはハッカー（結束工具）をというようにそれぞれの作業内容に対応した工具を持参し、作業現場では作業者は腰に取り付けられた作業ケースにそれらの工具を頻繁に出し入れする。
【０００３】
つまり、作業員は、ベルトに吊り下げた作業用ケースに使用するミゼットカッター、ペンチ或いはハッカー等の工具を入れて作業現場に臨み、ミゼットカッター等の工具を使用するときにはその作業用ケースからミゼットカッター等の工具を作業ケースから取り出して切断、結束等の作業を行い、ミゼットカッター等の工具を使用しないときはそのミゼットカッター等の工具を作業用ケースにしまっておいて休むなり、別の作業を行ったりする。
このことは、切断作業、結束作業以外の他の作業等においても同様であり、ミゼットカッターその他の各種工具を入れるように作られた各種作業ケースがあり、本願出願人会社も各種作業ケースを開発し、その成果の一部については特許出願或いは実用新案登録出願をしている（特許文献１：特開２００３−８２８５６号公報、特許文献２：特開２００３−８０４７４号公報）。
【０００４】
そのような作業ケースには、皮革或いは合成繊維等からなる基板の上部にベルトを通すベルト挿通輪をつくり、その基板下部の正面や側面に種々の工具収納部を形成したものがある。
図２はそのような作業ケースの一例（ミゼットカッターを収納するケース）を示す斜視図である。図において、２は皮革或いは合成繊維等からなる基板であり、この基板２の上部４は裏側に折り返され、上端が基板２の背面に固定されてベルト挿通輪６が形成されている。
【０００５】
８、８、８、８はその基板２の上端を基板２の背面に固定するリベットで、カシメにより固定が為されている。尚、図２には、４個あるリベット８、８、８、８のうちの三つのリベット８、８、８が現れるが、一つのリベット８は現れない。
１０はポケット形成片で、例えば皮革或いは合成繊維等からなり、上記基板２の正面下部の両側縁及び下縁にポケット形成片１０自身の両側片及び下縁が固定されて基板２とにより上に開口する工具収納ポケット１２を構成する。１４、１４、・・・は基板２とポケット形成片１０を固定する固定具、１６は同じく基板２とポケット形成片１０を固定する縫製部分である。
【０００６】
このような図２に示す作業用ケースは、作業員のズボンを締めるベルト、或いは作業専用ベルトを上記ベルト挿通輪６に通すことによりベルトに吊り下げた状態にし、工具収納ポケット１２に工具、例えばミゼットカッターを入れ、作業上使用する必要が生じたときその工具、例えばミゼットカッターを取り出して作業、例えば軟鋼線材等の切断作業を行うのである。
尚、工具の種類により工具収納部の構造、形状、収納形態は異なり、作業用ケースの種類は豊富であり、図２に示すものは、飽くまで従来例の一つに過ぎない。
【特許文献１】特開２００３−８２８５６号公報
【特許文献２】特開２００３−８０４７４号公報
【考案の開示】
【考案が解決しようとする課題】
【０００７】
ところで、作業用ケースを使用していると、経年変化により皮革或いは合成繊維等からなる部分が劣化し、特に、基板２のベルト挿通輪６を形成するために折り返した部分４のベルトの幅方向における下縁と接する部分がそのベルトにより局部集中荷重を受けてそこに集中疲労が生じるので真っ先に劣化して裂け目が生じ、その後、その裂け目が急速に拡大して寿命が尽きるという問題があり、比較的寿命が短く、それが従来の作業用ケースの短所とされていた。
図３はそのような問題を示すケースの背面図である。図３においては図２と共通する部分については同じ符号を付し、図２には無い、或いは現れない部分については新たな符号を付すこととする。
【０００８】
同図において、１８はベルト挿通輪６に通されたベルト、２０はそのベルト１８の幅方向における下縁部である。
そして、上記ポケット形成片１０の一方（例えば図における左側）の側縁のベルト１８の幅方向における下縁部２０と接する部分から裂け始める。２２は裂け目である。
裂け目２２は一旦生じると、急速にその裂け目２２が拡大し、比較的短期間に作業用ケースとしての使用が不能な状態になる。
【０００９】
このように作業用ケースの皮革或いは合成繊維等からなる基板２の折り返し部分４に裂け目２２ができるのは、ベルト１８に作業用ケースを吊り下げて歩いたり、作業用ケースが何かの物、構造物に触れたり、作業用ケースから工具、例えばミゼットカッター等を出し入れする度に、作業用ケースの下側が作業員の身体から離れる方向に揺れ、そして、揺れる度に、折り返し部分４がベルト１８下縁と接して集中疲労が発生するからである。
【００１０】
そして、揺れの回数が少ない間は裂け目２２は生じないが、揺れの回数が増えてくると、裂け目２２が生じることは従来において避け得なかったのである。
尚、図３の例では、折り返し部分４の同図における右側から裂け目２２が発生したが、左側から裂け目が発生する場合もあり、どちらから発生するかは、作業者の癖等により決まるようである。
【００１１】
本考案は、経年変化により、作業用ケースの基板上部の皮革或いは合成繊維等からなるベルト挿通輪にそこに通されるベルトによる裂け目ができ、それが拡がって使用不能になり、作業用ケースの長寿命化を図ることが難しいという問題を解決すべく為されたものであり、長寿命の作業用ケースを提供することを目的とする。
【課題を解決するための手段】
【００１２】
請求項１の作業用ケースは、基板の上部に、皮革或いは合成繊維等からなり、ベルトを通すベルト挿通輪が形成され、上記基板に一又は複数の工具装着部を有する作業用ケースにおいて、上記基板の、上記ベルト挿通輪に通したベルトの幅方向における下側の縁の当たる部分及び／又はその裏側に、補強片が固着されていることを特徴とする。
尚、基体の上部のベルト挿通輪には、基板の上部を例えば裏側に折り返す等し上端を基板背面に固定することにより形成した謂わば基板（皮革或いは合成繊維からなる）と一体の場合と、基板とは独立した別体の場合とがあり得る。この場合、ベルト挿通輪は皮革或いは合成繊維からなる。
また、ベルト挿通輪が基板と一体の場合でも、必ずしも折り返すのではなく、それ以外の手段により基板と一体に形成するようにしても良い。
【００１３】
請求項２の作業用ケースは、請求項１に記載の作業用ケースにおいて、前記補強片が前記基板の折り返された上部の両側縁部に設けられていることを特徴とする。
請求項３の作業用ケースは、請求項１又は２に記載の作業用ケースにおいて、前記ベルト挿通輪は、基板の上部を裏側に折り返し、折り返した部分の先端を上記基板背面へ固定することにより形成され、上記基板上端の基板背面への固定は、基板の上端部及び被折り返し部を貫通してかしめられた複数のリベットにより為され、前記補強片がリベット挿通孔を有し、上記基板の上端の基板背面への固定をするリベットの少なくとも一部のリベットが上記リベット挿通孔に通され、上記一部のリベットが基板の上端の基板背面への固定と上記補強片の基板との固定を為すようにされたことを特徴とする。
請求項４の作業用ケースは、請求項１、２又は３記載の作業用ケースにおいて、前記補強片が金属からなることを特徴とする。
【考案の効果】
【００１４】
請求項１の作業用ケースによれば、基板上部のベルト挿通輪のそれに通されるベルトの幅方向における下縁と接する部分に裂け目が生じること或いはその裂け目が拡大することを、補強片により阻むことができる。
即ち、補強片を基板のベルト挿通輪の内側の面に設けた場合には、ベルトが基板上部のベルト挿通輪に直接接することをその補強片により阻むことができ、延いては、ベルトにより基板上部のベルト挿通輪に集中疲労が発生して裂け目が生じることを回避することができる。
【００１５】
また、補強片を基板上部のベルト挿通輪の外側の面に設けた場合には、ベルトが基板上部のベルト挿通輪に直接接することは阻むことはできないので、小さな裂け目ができることは避け得ないとしても、その裂け目が大きくなろうとするとそのベルトが外側の面の補強片に接する状態になる。すると、裂け目がそれ以上に拡大するおそれはなくなる。
従って、ベルトにより集中疲労が発生じて小さな裂け目が生じたとしても、その後その裂け目が急速に拡大して寿命が尽きるというおそれはなくなり、ケース寿命を顕著に、従来の数倍長くすることができる。また、ベルト挿通輪の内側の面及び外側の面の両方に補強片を形成すると、より確実、完全に裂け目の発生及び拡大を防止することができる。
【００１６】
請求項２の作業用ケースによれば、補強片が前記に設けられているので、使用者の癖等により、ベルト挿通輪の左右何れから裂け目が発生しようしたとしても、裂け目の発生乃至その拡大を有効に防止することができる。
請求項３の作業用ケースによれば、基板の上端の基板背面への固定をするリベットの少なくとも一部のリベットが基板の上端の基板背面への固定と上記補強片の基板との固定を為すようにされているので、リベットの使用数を徒に増やすことなく補強片の取付ができ、長寿命化した作業用ケースを使用部品数の徒な増加及び製造コストの徒な増加を伴うことなく提供できる。
【００１７】
請求項４の作業用ケースによれば、補強片として金属製の材料を使用するので、硬度が高く、且つ、加工性が良いので、基板の折り返し部分の裂け目の発生及び拡大を極めて有効且つ確実に防止することができ、製造コストの低減を図ることができる。
【考案を実施するための最良の形態】
【００１８】
本考案は、基本的に、基板上部の、ベルト挿通輪に通したベルトの幅方向における下側の縁の当たる部分及び／又はその裏側に、補強片が固着されているというものであるが、その補強片は、基板上部のベルト挿通輪の両側縁部に設けると良い。
また、基板の上部を基板背面に折り返し基板上端を基板背面に固定することによりベルト挿通輪を形成し、更にその固定をリベットにより行うようにした場合においては、基板の上端の基板背面への固定をするリベットの少なくとも一部のリベットを基板の上端の基板背面への固定のみならず上記補強片の基板との固定をも為すようにすると良い。尚、後述する実施例の項で記載された作業用ケースはそのタイプである。
そして、補強片は金属例えばステンレス等により形成すると良いが、例えば合成樹脂等、硬度が強く、加工性の良い材料で形成するようにしても良い。
【実施例１】
【００１９】
以下、本考案の詳細を図示実施例に基いて説明する。
図１（Ａ）〜（Ｃ）は本考案作業用ケースの一つの実施例を示すもので、（Ａ）は斜視図、（Ｂ）は作業用ケースの上部を、基板の背面から基板の上端を離した状態で示す斜視図、（Ｃ）は一つの補強片を示す斜視図である。
【００２０】
図１において、２は皮革或いは合成繊維等からなる基板であり、この基板２の上部４は裏側に折り返され、その上端が基板２の背面に固定されてベルトを通すベルト挿通輪６が形成されている。
８、８、８ａ、８ａはその基板２の上端を基板２の背面に固定するリベットで、カシメによりその固定が為されている。尚、リベット８ａ、８ａは後述する補強片（４０、４０）の後述する折り返された上記上部４への取り付けにも利用される。
【００２１】
１０はポケット形成片で、皮革或いは合成繊維等からなり、上記基板２の正面下部の両側縁及び下縁にポケット形成片１０自身の両側片及び下縁が固定されてその基板２とで上に開口する工具収納ポケット１２を構成する。１４、１４、・・・は基板２とポケット形成片１０を固定する固定具、１６は同じく基板２とポケット形成片１０を固定する縫製部分である。
【００２２】
４０、４０は基板２のベルト挿通輪６を形成するために折り返された部分（上部）４の内側の面の左右両側縁部にリベット８ｂ、８ｂ、８ａ、８ｂ、８ｂ、８ａ（図面には一部のリベットのみ現れれる。）のカシメにより固着された補強板で、例えば金属、或いは合成樹脂からなる。４２、４２、４２はリベット挿通孔であり、補強片４０、４０を固着するリベットを通す孔である。４４、４４、・・・は基板２、その裏側に折り返された上記上部４に形成されたリベット挿通孔である。
【００２３】
このような作業用ケースによれば、基板２のベルト挿通輪６を形成するために折り返された部分４のベルト（図３の１８参照）の幅方向における下縁と接する部分に裂け目（図３の２２参照）が生じることを、補強片４０、４０により阻むことができる。
即ち、ベルトが基板２の折り返された部分（基板上部）４に直接接することをその補強片４０、４０により阻むことができ、延いては、ベルトにより基板２の折り返された部分が集中荷重を受けて裂け目が生じることを回避することができる。
【００２４】
従って、作業用ケースを顕著に長寿命化することができる。
尚、補強片４０、４０を折り返された部分４の内側の面ではなく、外側の面に設けるようにしても良いし、内外両側の面に設けるようにしても良い。そのようにすれば、本考案の効果をより確実に享受することができる。
【産業上の利用可能性】
【００２５】
本考案は、基板の上部にベルトを通す皮革或いは合成繊維等からなるベルト挿通輪が形成され、上記基板に一又は複数の工具装着部を有し、作業員等が締める上記ベルトに吊り下げて使用する作業用ケースに広く産業上の利用可能性がある。
【図面の簡単な説明】
【００２６】
【図１】（Ａ）〜（Ｃ）は本考案作業用ケースの一つの実施例を示すもので、（Ａ）は斜視図、（Ｂ）は作業用ケースの上部を、基板の背面から基板の上端を離した状態で示す斜視図、（Ｃ）は一つの補強片を示す斜視図である。
【図２】背景技術を示す斜視図である。
【図３】本考案が解決しようとする課題を説明するための従来例の背面図である。
【符号の説明】
【００２７】
２・・・基板、４・・・折り返された部分（上部）、６・・・ベルト挿通輪、
８、８ａ、８ｂ・・・リベット、１０・・・ポケット形成片、
１２・・・工具収納ポケット、１８・・・ベルト（図３）、
２２・・・裂け目（図３）、４０・・・補強片。
【図１】
0003148395.tif 000003
【図２】
0003148395.tif 000004
【図３】
0003148395.tif 000005